(57)【特許請求の範囲】
【請求項１】
地絡事故発生時に予め定められた整定値に基づいて所定の回線に接続された遮断器へ順に遮断指令信号を送る地絡順序遮断装置に接続され、地絡事故発生時の前記回線の遮断順序を管理するための遮断順序管理装置であって、
前記回線の電流の計測値を取得する計測値取得手段と、前記計測値に基づいて、前記回線の遮断順序を設定する遮断順序設定手段と、設定された遮断順序に基づいて、遮断順序更新指令情報を前記地絡順序遮断装置へ供給する更新指令手段と、前記遮断順序に対応した整定値を設定する整定値設定手段とを備え、
前記遮断順序設定手段は、重要負荷回線、母線連絡、変圧器バンク回線以外の一般回線において前記計測値が小さい順、重要負荷回線、母線連絡、変圧器バンク回線の順に、遮断順序を設定し、さらに、対象となる電気所においてバンク数が複数の場合には、中性点接地抵抗が接続されていない変圧器、中性点接地抵抗が接続されている変圧器の順に遮断順序を設定し、前記遮断順序更新指令情報は、前記整定値設定手段によって設定された整定値を含むことを特徴とする遮断順序管理装置。
【請求項２】
地絡事故発生時に予め定められた整定値に基づいて所定の回線に接続された遮断器へ順に遮断指令信号を送る地絡順序遮断装置と、地絡事故発生時の前記回線の遮断順序を管理するための遮断順序管理装置とが接続されて構成された遮断順序管理システムであって、
前記遮断順序管理装置は、前記回線の電流の計測値を取得する計測値取得手段と、前記計測値に基づいて、前記回線の遮断順序を設定する遮断順序設定手段と、設定された遮断順序に基づいて、遮断順序更新指令情報を前記地絡順序遮断装置へ供給する更新指令手段と、前記遮断順序に対応した整定値を設定する整定値設定手段とを備え、
前記遮断順序設定手段は、重要負荷回線、母線連絡、変圧器バンク回線以外の一般回線において前記計測値が小さい順、重要負荷回線、母線連絡、変圧器バンク回線の順に、遮断順序を設定し、さらに、対象となる電気所においてバンク数が複数の場合には、中性点接地抵抗が接続されていない変圧器、中性点接地抵抗が接続されている変圧器の順に遮断順序を設定し、前記遮断順序更新指令情報は、前記整定値設定手段によって設定された整定値を含むことを特徴とする遮断順序管理システム。
【請求項３】
地絡事故発生時に予め定められた整定値に基づいて所定の回線に接続された遮断器へ順に遮断指令信号を送る地絡順序遮断装置と、地絡事故発生時の前記回線の遮断順序を管理するための遮断順序管理装置とが接続され、
前記遮断順序管理装置は、前記回線の電流の計測値を取得する計測値取得処理と、前記計測値に基づいて、前記回線の遮断順序を設定する遮断順序設定処理と、設定された遮断順序に基づいて、遮断順序更新指令情報を前記地絡順序遮断装置へ供給する更新指令処理と、前記遮断順序に対応した整定値を設定する整定値設定処理とを実行し、
前記遮断順序設定処理は、重要負荷回線、母線連絡、変圧器バンク回線以外の一般回線において前記計測値が小さい順、重要負荷回線、母線連絡、変圧器バンク回線の順に、遮断順序を設定し、さらに、対象となる電気所においてバンク数が複数の場合には、中性点接地抵抗が接続されていない変圧器、中性点接地抵抗が接続されている変圧器の順に遮断順序を設定し、前記遮断順序更新指令情報は、前記整定値設定処理によって設定された整定値を含むことを特徴とする遮断順序管理方法。
【発明の詳細な説明】
【技術分野】
【０００１】
この発明は、例えば、地絡事故時の回線の遮断順序を管理するための遮断順序管理装置、遮断順序管理システム及び遮断順序管理方法に関する。
【背景技術】
【０００２】
従来より、例えば、特別高圧系統の母線には、地絡順序遮断装置（ＢＧＦ装置）が設置されて、地絡事故時に主保護が動作しない場合に、後備保護として、予め決められた遮断順序に従って、事故消滅まで送電線や変圧器に接続されている遮断器を開放するようにされている。
【０００３】
また、電力系統の母線に接続される回線の電流を検出して、母線事故を検知する保護装置において、順序遮断機能が付加されて、事故継続の場合（すなわち、後備保護を行う場合）に、事故と判定された回線が優先的に選択されて遮断される技術（例えば、特許文献１参照。）も提案されている。ここで、地絡事故電流の大きさにより、事故回線と判定された回線を順に遮断する。
【先行技術文献】
【特許文献】
【０００４】
【特許文献１】特許第３９０２１５０号公報
【発明の概要】
【発明が解決しようとする課題】
【０００５】
しかしながら、上記従来技術では、回線の遮断順序は、ほぼ固定されており、点検等の機会に数年に一度見直す程度である。したがって、負荷や潮流の比較的短期的な変動が反映されず、電力供給に無用な支障が生じる場合がある。
【０００６】
この発明は、前記の課題を解決し、事故発生時に常に適確な順序で回線を遮断することができる遮断順序管理装置、遮断順序管理システム及び遮断順序管理方法を提供することを目的としている。
【課題を解決するための手段】
【０００７】
前記の課題を解決するために、請求項１の発明は、地絡事故発生時に予め定められた整定値に基づいて所定の回線に接続された遮断器へ順に遮断指令信号を送る地絡順序遮断装置に接続され、地絡事故発生時の前記回線の遮断順序を管理するための遮断順序管理装置であって、前記回線の電流の計測値を取得する計測値取得手段と、前記計測値に基づいて、前記回線の遮断順序を設定する遮断順序設定手段と、設定された遮断順序に基づいて、遮断順序更新指令情報を前記地絡順序遮断装置へ供給する更新指令手段と、前記遮断順序に対応した整定値を設定する整定値設定手段とを備え、前記遮断順序設定手段は、重要負荷回線、母線連絡、変圧器バンク回線以外の一般回線において前記計測値が小さい順、重要負荷回線、母線連絡、変圧器バンク回線の順に、遮断順序を設定し、さらに、対象となる電気所においてバンク数が複数の場合には、中性点接地抵抗が接続されていない変圧器、中性点接地抵抗が接続されている変圧器の順に遮断順序を設定し、前記遮断順序更新指令情報は、前記整定値設定手段によって設定された整定値を含むことを特徴としている。
【０００８】
請求項１の発明では、計測値取得手段が、回線の電流の計測値を取得し、遮断順序設定手段が、計測値に基づいて、回線の遮断順序を設定し、更新指令手段が、設定された遮断順序に基づいて、遮断順序更新指令情報を地絡順序遮断装置へ供給する。
【００１１】
請求項２の発明は、地絡事故発生時に予め定められた整定値に基づいて所定の回線に接続された遮断器へ順に遮断指令信号を送る地絡順序遮断装置と、地絡事故発生時の前記回線の遮断順序を管理するための遮断順序管理装置とが接続されて構成された遮断順序管理システムであって、前記遮断順序管理装置は、前記回線の電流の計測値を取得する計測値取得手段と、前記計測値に基づいて、前記回線の遮断順序を設定する遮断順序設定手段と、設定された遮断順序に基づいて、遮断順序更新指令情報を前記地絡順序遮断装置へ供給する更新指令手段と、前記遮断順序に対応した整定値を設定する整定値設定手段とを備え、前記遮断順序設定手段は、重要負荷回線、母線連絡、変圧器バンク回線以外の一般回線において前記計測値が小さい順、重要負荷回線、母線連絡、変圧器バンク回線の順に、遮断順序を設定し、さらに、対象となる電気所においてバンク数が複数の場合には、中性点接地抵抗が接続されていない変圧器、中性点接地抵抗が接続されている変圧器の順に遮断順序を設定し、前記遮断順序更新指令情報は、前記整定値設定手段によって設定された整定値を含むことを特徴としている。
【００１２】
請求項３の発明に係る遮断順序管理方法は、地絡事故発生時に予め定められた整定値に基づいて所定の回線に接続された遮断器へ順に遮断指令信号を送る地絡順序遮断装置と、地絡事故発生時の前記回線の遮断順序を管理するための遮断順序管理装置とが接続され、前記遮断順序管理装置は、前記回線の電流の計測値を取得する計測値取得処理と、前記計測値に基づいて、前記回線の遮断順序を設定する遮断順序設定処理と、設定された遮断順序に基づいて、遮断順序更新指令情報を前記地絡順序遮断装置へ供給する更新指令処理と、前記遮断順序に対応した整定値を設定する整定値設定処理とを実行し、前記遮断順序設定処理は、重要負荷回線、母線連絡、変圧器バンク回線以外の一般回線において前記計測値が小さい順、重要負荷回線、母線連絡、変圧器バンク回線の順に、遮断順序を設定し、さらに、対象となる電気所においてバンク数が複数の場合には、中性点接地抵抗が接続されていない変圧器、中性点接地抵抗が接続されている変圧器の順に遮断順序を設定し、前記遮断順序更新指令情報は、前記整定値設定処理によって設定された整定値を含むことを特徴としている。
【発明の効果】
【００１３】
請求項１の発明によれば、電流の計測値に基づいて回線の遮断順序を設定し、設定された遮断順序に基づいて、遮断順序更新指令情報を地絡順序遮断装置へ供給するので、事故発生時に、常に適確な順序で回線を遮断することができる。
【００１４】
また、更新された整定値を供給するので、地絡順序遮断装置においては、遮断順序を迅速に更新することができる。
【００１５】
さらに、所定の重要負荷回線の遮断順位を設定するので、事故発生時に、常に適確な順序で回線を遮断することができ、特に重要負荷への電力供給の支障を最小限にとどめることができる。
【００１６】
請求項２の発明によれば、電流の計測値に基づいて回線の遮断順序を設定し、設定された遮断順序に基づいて、遮断順序更新指令情報を地絡順序遮断装置へ供給するので、事故発生時に、常に適確な順序で回線を遮断することができる。
【００１７】
請求項３の発明によれば、電流の計測値に基づいて回線の遮断順序を設定し、設定された遮断順序に基づいて、遮断順序更新指令情報を地絡順序遮断装置へ供給するので、事故発生時に、常に適確な順序で回線を遮断することができる。
【図面の簡単な説明】
【００１８】
【図１】この発明の一実施の形態である遮断順序管理システムの構成を説明するための説明図である。
【図２】同遮断順序管理システムの遮断順序管理装置の構成を示すブロック図である。
【図３】同遮断順序管理装置の記憶部の構成を示すブロック図である。
【図４】同記憶部の遮断順序情報データベースの内容を説明するための説明図である。
【図５】同遮断順序情報データベースの内容を説明するための説明図である。
【図６】同遮断順序管理システムが適用される変電所等の電気所の構成を説明するための説明図である。
【図７】同遮断順序管理システムが適用される別の電気所の構成を説明するための説明図である。
【図８】同遮断順序管理システムが適用されるさらに別の電気所の構成を説明するための説明図である。
【図９】同遮断順序管理装置の動作を説明するための処理手順図である。
【図１０】同遮断順序管理装置の動作を説明するための処理手順図である。
【図１１】同遮断順序管理装置の動作を説明するための処理手順図である。
【発明を実施するための形態】
【００１９】
次に、この発明の実施の形態について、図面を用いて詳しく説明する。
【００２０】
図１は、この発明の一実施の形態である遮断順序管理システムの構成を説明するための説明図、図２は、同遮断順序管理システムの遮断順序管理装置の構成を示すブロック図、図３は、同遮断順序管理装置の記憶部の構成を示すブロック図、図４及び図５は、同記憶部の遮断順序情報データベースの内容を説明するための説明図、図６は、同遮断順序管理システムが適用される変電所等の電気所の構成を説明するための説明図、図７は、同遮断順序管理システムが適用される別の電気所の構成を説明するための説明図、図８は、同遮断順序管理システムが適用されるさらに別の電気所の構成を説明するための説明図、図９乃至図１１は、同遮断順序管理装置の動作を説明するための処理手順図である。
【００２１】
図１に示すように、この実施の形態の遮断順序管理システム１は、遮断順序管理装置２と、計測器５ａ，（５ｂ，５ｃ，…）から取得した遮断器ＣＢ１（ＣＢ２，ＣＢ３，…）が接続された回線に流れる電流の計測値Ｉ１（Ｉ２，Ｉ３，…）を遮断順序管理装置２に供給する遠隔監視制御装置３と、遮断順序管理装置２から変更された整定値を取得するとともに、地絡事故発生時に整定値に基づいて所定の遮断器ＣＢ１（ＣＢ２，ＣＢ３，…）へ遮断指令信号を送るデジタル型の地絡順序遮断装置４とを備えている。
【００２２】
遮断順序管理装置２は、図２に示すように、所定の制御プログラムに従って構成各部を制御する制御部８と、各種制御プログラムやデータが記憶される記憶部９と、データ通信を行うための通信部１１と、操作部１２と、表示部１３とを有している。
【００２３】
制御部８は、ＣＰＵ（Ｃｅｎｔｒａｌ  Ｐｒｏｃｅｓｓｉｎｇ  Ｕｎｉｔ）等からなり、記憶部９に記憶された所定の制御プログラムに従って構成各部を制御する。遮断順序管理装置２においては、例えば、電流値取得処理、重要負荷情報設定処理、遮断順序変更処理等が実行される。
【００２４】
遮断順序管理装置２は、電流値取得処理で、遠隔監視制御装置３を介して定期的に電流値を取得し、図４及び図５に示すように、記憶部９の遮断順序情報データベース１６ａに記憶させる。遮断順序管理装置２は、重要負荷情報設定処理で、所定の病院等の社会的影響が大きい重要負荷に係る回線について、操作部１２を介して、設定された遮断順位等を含む重要負荷情報を、記憶部９の重要負荷情報データベース１６ｂに登録させる。なお、重要負荷回線の順位は原則として固定される。
【００２５】
遮断順序変更処理は、事故発生判定処理、遮断順序演算処理、バンク数判定処理、変圧器遮断順序演算処理、遮断順序変更要否判定処理、整定値設定処理、及び整定値出力処理を含んでいる。遮断順序管理装置２は、事故発生判定処理で、過去所定時間（例えば、略１０分）以内のバンクや送電線の事故の有無を判定する。遮断順序管理装置２は、遮断順序演算処理で、一般回線順位更新処理と、重要負荷回線順位設定処理と、母線連絡順位設定処理と、変圧器バンク回線順位設定処理とを実行する。
【００２６】
遮断順序管理装置２は、遮断順序演算処理で、（１）上記一般回線において送電線の潮流が小さい順（例えば、ＣＢ１〜ＣＢ６）、（２）社会的影響が大きい回線（例えば、ＣＢ７）、（３）母線連絡（複数バンク箇所、例えば、ＣＢｂ）、（４）変圧器（複数バンク箇所においてＮＧＲ非接続側、例えば、ＣＢｔ２１，ＣＢｔ２２）（５）変圧器（ＮＧＲ接続側、例えば、ＣＢｔ１１，ＣＢｔ１２）の順に、遮断順序を設定する。
【００２７】
すなわち、遮断順序管理装置２は、一般回線順位更新処理で、重要負荷回線、母線連絡、変圧器バンク回線以外の一般回線について、電流値取得処理で取得した電流値に基づいて、潮流の小さい回線順に並び替えて、例えば、図４に示す内容から図５に示す内容に更新する。遮断順序管理装置２は、重要負荷回線順位設定処理、母線連絡順位設定処理、及び変圧器バンク回線順位設定処理で、重要負荷回線、母線連絡、及び変圧器バンク回線の遮断順位を設定する。これらの順位は、原則として固定とされる。但し、例えば、重要負荷回線が新規に登録された場合等には、新たに設定される。
【００２８】
遮断順序管理装置２は、バンク数判定処理で、対象となる電気所においてバンク数が単数か又は複数かを判定する。遮断順序管理装置２は、変圧器遮断順序演算処理で、ＮＧＲ非接続側変圧器順位設定処理と、ＮＧＲ接続側変圧器順位設定処理とを実行する。遮断順序管理装置２は、ＮＧＲ非接続側変圧器順位設定処理、及びＮＧＲ接続側変圧器順位設定処理で、それぞれ、ＮＧＲ非接続側変圧器、及びＮＧＲ接続側変圧器の遮断順位を設定する。これにより、ＮＧＲ非接続側変圧器が先に、ＮＧＲ接続側変圧器が後に遮断される。
【００２９】
遮断順序管理装置２は、遮断順序変更要否判定処理で、遮断順序の変更の要否を判定する。遮断順序管理装置２は、整定値算出処理で、各遮断器ＣＢ１（ＣＢ２，ＣＢ３，…）に対応する整定値（整定時間）を設定する。遮断順序管理装置２は、整定値出力処理で、設定した整定値を地絡順序遮断装置４へ出力する。
【００３０】
記憶部９は、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなっている。記憶部９は、図３に示すように、各種プログラムを記憶するプログラム記憶部１５と、各種情報を記憶する情報記憶部１６とを有している。情報記憶部１６は、遮断順序情報データベース１６ａと、重要負荷情報データベース１６ｂとを有している。
【００３１】
遮断順序情報データベース１６ａには、図４及び図５に示すように、順位に対応付けて、回線名（対応する遮断器）、計測された電流及び電力、設定されている整定値等が記憶されている。なお、図４及び図５は、遮断順序演算処理によって遮断順位が変化した場合の、それぞれ、旧情報及び新情報を示している。
【００３２】
重要負荷情報データベース１６ｂには、所定の病院等の社会的影響が大きい重要負荷に係る回線について、回線名（対応する遮断器）に対応付けて、需要家情報、設定された遮断順位等が記憶されている。
【００３３】
なお、この実施の形態の遮断順序管理システム１が適用される電気所における電力系統は、図６に示すような２重母線系統、図７に示すような１バンク系統、及び図８に示すような２バンク系統を含んでいる。例えば、上位母線を１１０ｋＶ、下位母線を２２ｋＶとすると、まず、２重母線系統においては、図６に示すように、変圧器Ｔｒ１（Ｔｒ２）が、遮断器ＣＢｔ１１（ＣＢｔ２１）を介して上位母線（１１０ｋＶ）に、遮断器ＣＢｔ１２（ＣＢｔ２２）を介して下位の二重母線（２２ｋＶ）に接続されている。変圧器Ｔｒ１（Ｔｒ２）は、中性点接地抵抗（ＮＧＲ）Ｒを介して接地されている。二重母線（２２ｋＶ）は、遮断器ＣＢｂを介して連絡された甲母線及び乙母線から構成され、この二重母線（２２ｋＶ）には、遮断器ＣＢ１（ＣＢ２，ＣＢ３，…，ＣＢｎ）を介して、送電線が接続されている。遮断順序管理装置２は、遮断器ＣＢ１（ＣＢ２，ＣＢ３，…，ＣＢｎ）、遮断器ＣＢｂ、遮断器ＣＢｔ１２（ＣＢｔ２２）に接続された回線を流れる電流Ｉ１（Ｉ２，Ｉ３，…，Ｉｎ），Ｉｂｔ，Ｉｔｒ１（Ｉｔｒ２）の計測値を、遠隔監視制御装置３を介して取得する。
【００３４】
また、１バンク系統においては、図７に示すように、変圧器Ｔｒａが、遮断器ＣＢｔａ１１を介して上位母線（１１０ｋＶ）に、遮断器ＣＢｔａ１２を介して下位の母線（２２ｋＶ）に接続されている。変圧器Ｔｒａは、中性点接地抵抗（ＮＧＲ）Ｒａを介して接地されている。母線（２２ｋＶ）には、遮断器ＣＢａ１（ＣＢａ２，ＣＢａ３，…，ＣＢａｎ）を介して、送電線が接続されている。遮断順序管理装置２は、遮断器ＣＢａ１（ＣＢａ２，ＣＢａ３，…，ＣＢｎ）に接続された回線等を流れる電流Ｉａ１（Ｉａ２，Ｉａ３，…，Ｉａｎ）等の計測値を、遠隔監視制御装置３を介して取得する。
【００３５】
また、２バンク系統においては、図８に示すように、変圧器Ｔｒｂ１（Ｔｒｂ２）が、遮断器ＣＢｔｂ１１（ＣＢｔｂ２１）を介して上位母線（１１０ｋＶ）に、遮断器ＣＢｔｂ１２（ＣＢｔｂ２２）を介して下位の母線（２２ｋＶ）に接続されている。変圧器Ｔｒｂ１（Ｔｒｂ２）は、中性点接地抵抗（ＮＧＲ）Ｒｂを介して接地されている。母線（２２ｋＶ）には、遮断器ＣＢｂ１（ＣＢｂ２，ＣＢｂ３，…，ＣＢｂｎ）を介して、送電線が接続されている。遮断順序管理装置２は、遮断器ＣＢｂ１（ＣＢｂ２，ＣＢｂ３，…，ＣＢｂｎ）に接続された回線等を流れる電流Ｉｂ１（Ｉｂ２，Ｉｂ３，…，Ｉｂｎ）等の計測値を、遠隔監視制御装置３を介して取得する。
【００３６】
次に、図９乃至図１１を参照して、遮断順序管理装置２の動作について説明する。遮断順序管理装置２は、まず、過去所定時間（例えば、略１０分）以内のバンクや送電線の事故の有無を判定し（ステップＳＡ１１（図９））、無しの場合は、ステップＳＡ１２へ進み、有りの場合は処理を終了する。
【００３７】
ステップＳＡ１２では、遮断順序管理装置２は、遮断順序演算処理を実行する。すなわち、遮断順序管理装置２は、重要負荷回線、母線連絡、変圧器バンク回線以外の一般回線について、電流値取得処理で取得した電流値に基づいて、潮流の小さい回線順に並び替えて更新する（ステップＳＢ１１（図１０））。次に、遮断順序管理装置２は、重要負荷回線の遮断順位を設定し（ステップＳＢ１２）、母線連絡の遮断順位を設定し（ステップＳＢ１３）、変圧器バンク回線の遮断順位を設定する（ステップＳＢ１４）。これらの順位は、原則として固定とされる。但し、例えば、重要負荷回線が新規に登録された場合等には、新たに設定される。
【００３８】
次に、遮断順序管理装置２は、対象となる電気所においてバンク数が単数か複数かを判定し（ステップＳＡ１３（図９））、複数バンクの場合はステップＳＡ１４へ進み、単数バンクの場合は、ステップＳＡ１５へ進む。ステップＳＡ１４で、遮断順序管理装置２は、変圧器遮断順序演算処理を実行する。すなわち、遮断順序管理装置２は、ＮＧＲ非接続側変圧器の順位を設定し（ステップＳＣ１１（図１１））、ＮＧＲ接続側変圧器の遮断順位を設定する（ステップＳＣ１２）。これにより、ＮＧＲ非接続側変圧器が先に、ＮＧＲ接続側変圧器が後に遮断される。
【００３９】
次に、遮断順序管理装置２は、ステップＳＡ１５（図９）で、遮断順序の変更の要否を判定し、変更要の場合は、ステップＳＡ１６へ進み、変更不要の場合は、処理を終了する。次に、遮断順序管理装置２は、各遮断器ＣＢ１（ＣＢ２，ＣＢ３，…）に対応する整定値を設定する（ステップＳＡ１６）。次に、遮断順序管理装置２は、設定した整定値を地絡順序遮断装置４へ出力する（ステップＳＡ１７）。
【００４０】
こうして、この実施の形態の構成によれば、負荷状況や系統状況、社会的影響等を考慮して、支障が少ない順に回線の遮断順序を常時更新するので、事故発生時に、常に適確な順序で回線を遮断することができ、電力供給の支障を最小限にとどめることができる。また、作業員が、変電所等の電気所へ出向いて整定値等の変更を行う必要がなく、コスト低減に寄与することができる。
【００４１】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、整定値を設定して出力する場合について述べたが、遮断順序を供給して、地絡順序遮断装置において、遮断順序に対応した整定値を設定するようにしても良い。
【００４２】
また、定期的に電流値を取得する場合について述べたが、遮断順序演算処理時に電流値を取得するようにしても良い。また、遠隔監視制御装置を介さずに、電流値を計測器から直接取得しても良い。また、遮断順序管理装置を複数の地絡順序遮断装置に接続しても良い。また、遮断順序情報データベースにおける遮断順序情報と、電流値情報と、整定値情報とを別に記憶させても良いし、遮断順序情報データベースや、重要負荷情報データベースを、データベースサーバとして独立させて配置しても良い。
【産業上の利用可能性】
【００４３】
変電所や発電所のほか、制御所に配置して用いる場合について適用できる。
【符号の説明】
【００４４】
１  遮断順序管理システム
２  遮断順序管理装置（計測値取得手段、遮断順序設定手段、更新指令手段、遮断順位設定手段）
４  地絡順序遮断装置
８  制御部
９  記憶部
ＣＢ１，ＣＢ２，…  遮断器
【図１】
0005631583.tif 000002
【図２】
0005631583.tif 000003
【図３】
0005631583.tif 000004
【図４】
0005631583.tif 000005
【図５】
0005631583.tif 000006
【図６】
0005631583.tif 000007
【図７】
0005631583.tif 000008
【図８】
0005631583.tif 000009
【図９】
0005631583.tif 000010
【図１０】
0005631583.tif 000011
【図１１】
0005631583.tif 000012